(57)【要約】【課題】背表紙の抜脱を抑止して一旦調整した背表紙の有効幅を的確に維持できるようにする。【解決手段】表紙体Ａの一部に、この表紙体Ａを閉じた状態で背表紙３が表表紙１から抜け出る方向へ相対移動することを抑止する弾性体１００を設けることとした。【選択図】図９
2004066694.tif 000002
【特許請求の範囲】
【請求項１】
表表紙と、裏表紙と、背表紙とからなる表紙体を有し、前記表表紙又は裏表紙の少なくとも一方を前記背表紙を挿入可能な袋体状のものにしてこの背表紙の有効幅を可変にしたものにおいて、
表紙体を閉じた状態で背表紙が一方の表紙から抜け出る方向へ相対移動することを抑止する抑止手段をその一部に設けたことを特徴とするファイル。
【請求項２】
抑止手段が、袋体状をなす一方の表紙と背表紙との間にあって当該表紙内に背表紙を引き込む方向の外力を及ぼす弾性体である請求項１記載のファイル。
【請求項３】
袋体状をなす一方の表紙から背表紙が引き抜かれる手前位置で、弾性体による外力に抗して一方の表紙に背表紙を掛止させておく掛止部を設けている請求項２記載のファイル。
【請求項４】
抑止手段が、袋体状をなす一方の表紙と背表紙との間にあって背表紙の複数の有効幅に対応して当該背表紙を前記一方の表紙に段階的に係合させる係合部である請求項１記載のファイル。
【請求項５】
係合部が、袋体状をなす一方の表紙に設けた突起と、背表紙の対応位置に設けた凹部又は孔部とからなる請求項４記載のファイル。
【請求項６】
突起が、表紙体を開いた際に凹部又は孔部と係合し得ない位置に位置づけられ、表紙体を閉じた際に凹部又は孔部と係合し得る位置に位置づけられる請求項５記載のファイル。
【請求項７】
係合部が、袋体状をなす一方の表紙に設けた凹凸の連続するリブと、背表紙の対応位置に設けた凹凸の連続するリブとからなり、リブ同士を凹凸の連続方向に沿って段階的に位相を変えて係合させ得るようにしている請求項４記載のファイル。
【請求項８】
背表紙が、表材と裏材との間に見出し挿入用のポケットを形成してなるものであり、抑止部がその見出しに設けた折り罫であって、この折り罫は、表紙体を閉じた際に折れ曲がってその折曲状態を維持するものである請求項１記載のファイル。
【請求項９】
背表紙が、表材と裏材との間に見出し挿入用のポケットを形成してなるものであり、抑止部がその裏材に設けた折り罫であって、この折り罫は、表紙体を閉じた際に折れ曲がって表紙の縁部に引っ掛かるものである請求項１記載のファイル。
【請求項１０】
表表紙と、裏表紙と、背表紙とからなる表紙体を有し、前記表表紙又は裏表紙の少なくとも一方を前記背表紙を挿入可能な袋体状のものにしてこの背表紙の有効幅を可変にしたものにおいて、
表紙体を閉じた状態で背表紙が一方の表紙から抜け出る方向へ相対移動した際にこれを修正するための修正手段をその一部に設けたことを特徴とするファイル。
【請求項１１】
修正手段が、袋体状をなす一方の表紙の一部に設けた窓であり、挿入された背表紙の一部をこの窓を介して表出させ、その背表紙に当該一方の表紙内に引き込む方向の外力を付与し得るようにしている請求項１０記載のファイル。
【請求項１２】
表紙体を構成する表表紙、裏表紙及び背表紙が、樹脂により形成されている請求項１〜１１記載のファイル。
【発明の詳細な説明】
【０００１】
【発明の属する技術分野】
本発明は、紙葉類を差し替え可能に挟み込み、背表紙の有効幅が可変であるファイルに関するものである。
【０００２】
【従来の技術】
紙葉類を差し替え可能に挟み込むファイルにおいて、挟み込む紙葉類の量に応じて背表紙の有効幅を可変としたファイルが考えられている。
【０００３】
このものは、表表紙と、裏表紙と、背表紙とからなる表紙体を有し、前記表表紙又は裏表紙の少なくとも一方を前記背表紙を挿入可能な袋体状のものにして、その挿入深さに応じて背表紙の有効幅を変化させ、綴じ込み量に応じて適切な背幅に調整することができるようにしている。
【０００４】
【発明が解決しようとする課題】
ところで、袋体状をなす一方の表紙の内寸に対して、これに挿入される背表紙の外寸を緊密に設定すれば、表紙体を閉じた状態で背表紙の収まりを確実なものにすることができ、背表紙が不慮に表紙から抜け出て弛みを生じる事態を防止することができる。しかしながら、このようにすると、袋体状をなす表紙に対して背表紙を挿脱する際の引きずり抵抗が大きくなるため、抜き差しがままならない状態に陥り易く、操作性に難の多いものになる。
【０００５】
一方、袋体状をなす一方の表紙に対して、これに挿入される背表紙の外寸を比較的小さく設定すれば、袋体状をなす表紙に対して背表紙を挿脱する際の操作を軽くすることが可能となる。しかしながら、逆に表紙体を閉じた際に背表紙の収まりが曖昧な状態となって、背表紙の一部が不慮に表紙から抜け出て弛みを生じ易くなり、外観を損ねたり、立てかけた際の自立性が損なわれる等の事態を招く要因となる。
【０００６】
例えば、この種のファイルは、従来より表紙体を構成する表表紙、裏表紙及び背表紙が全て紙により作られているが、耐久性の向上や汚損防止を図るべくこれを樹脂製のものにする可能性を追求しようとした場合、背表紙は樹脂の特性によりすべりが良くなって抜け易くなり、しかも腰が弱いために出し入れ操作に支障が多くなる事態が予想される。
【０００７】
したがって、このような観点からしても、表紙体を閉じた状態の背表紙の確実な収まり状態と、表紙体を開いた際の背表紙の平易な出し入れ操作性とを好適に両立させておくことは極めて有用なものであると考えられる。
【０００８】
【課題を解決するための手段】
上記の目的を達成するために、本発明は、次のような手段を講じたものである。
【０００９】
すなわち、本発明に係るファイルは、表表紙と、裏表紙と、背表紙とからなる表紙体を有し、前記表表紙又は裏表紙の少なくとも一方を前記背表紙を挿入可能な袋体状のものにしてこの背表紙の有効幅を可変にしたものにおいて、表紙体を閉じた状態で背表紙が一方の表紙から抜け出る方向へ相対移動することを抑止する抑止手段をその一部に設けたことを特徴とする。
【００１０】
このように構成すると、背表紙を一旦適切な有効幅に調整した後、表紙体を閉じれば、抑止手段によって背表紙の抜脱動作が抑えられるため、背表紙の張りが不慮に弛むなどして外観を損ねることを防止でき、立てかけた際の自立性等も有効に確保することが可能となる。そして、このような作用は、例えば表表紙の内寸と背表紙の外寸とを、表紙体を開いた状態で背表紙を緩やかに挿脱し得る寸法関係に設定したり、表紙体の所要箇所にすべり易いエンボス加工を施した場合にも発揮されるため、これにより表紙体を開いた状態で袋体状をなす一方の表紙体に対して背表紙を挿脱する操作時の引きずり抵抗を小さくし、背表紙が樹脂のような比較的柔らかい素材のものであっても不都合なく背表紙の有効幅の調整を行えるようになる。勿論、不慮に手が触れて背表紙が引き出されてしまうといった不都合にも有効なものとなる。
【００１１】
抑止手段の具体的な一実施の態様としては、袋体状をなす一方の表紙と背表紙との間にあって当該表紙内に背表紙を引き込む方向の外力を及ぼす弾性体であるものが挙げられる。
【００１２】
この場合、弾性体が紙葉類の加除作業の妨げとならないようにするためには、袋体状をなす一方の表紙から背表紙が引き抜かれる手前位置で、弾性体による外力に抗して一方の表紙に背表紙を掛止させておく掛止部を設けておくことが望ましい。
【００１３】
また、抑止手段の具体的な他の実施の態様としては、袋体状をなす一方の表紙と背表紙との間にあって背表紙の複数の有効幅に対応して当該背表紙を前記一方の表紙に段階的に係合させる係合部であるものが挙げられる。
【００１４】
かかる係合部の簡素な構成としては、袋体状をなす一方の表紙に設けた突起と、背表紙の対応位置に設けた凹部又は孔部とから構成するようにしたものが挙げられる。
【００１５】
この突起が、係合部としての機能を有効に果たし、なおかつ背表紙の挿脱時の妨げとならないようにするためには、表紙体を開いた際に凹部又は孔部と係合し得ない位置に位置づけられ、表紙体を閉じた際に凹部又は孔部と係合し得る位置に位置づけられるようにしておくことが望ましい。
【００１６】
簡単な構成で係合ピッチを比較的小さく設定できるものとしては、係合部が、袋体状をなす一方の表紙に設けた凹凸の連続するリブと、背表紙の対応位置に設けた凹凸の連続するリブとからなり、リブ同士を凹凸の連続方向に沿って段階的に位相を変えて係合させ得るようにしたものが挙げられる。
【００１７】
抑止部の上記以外の実施の態様としては、背表紙が、表材と裏材との間に見出し挿入用のポケットを形成してなるものであり、抑止部がその見出しに設けた折り罫であって、この折り罫に、表紙体を閉じた際に折れ曲がってその折曲状態を維持できる機能を付与しているものが挙げられる。
【００１８】
あるいは、背表紙が、表材と裏材との間に見出し挿入用のポケットを形成してなるものであり、抑止部がその裏材に設けた折り罫であって、この折り罫に、表紙体を閉じた際に折れ曲がって表紙の縁部に引っ掛かる機能を付与しているものが挙げられる。
【００１９】
また、上記と基本構造を同じくしつつ、抑止手段に代えて、表紙体を閉じた状態で背表紙が当該一方の表紙から抜け出る方向へ相対移動した際にこれを修正するための修正手段をその一部に設けておく構成も有効である。
【００２０】
修正手段の具体的な実施の一態様は、袋体状をなす一方の表紙の一部に設けた窓であり、挿入された背表紙の一部をこの窓を介して表出させ、その背表紙に当該一方の表紙内に引き込む方向の外力を付与し得るようにしているものが挙げられる。
【００２１】
本発明は、以上のような構成であるから、表紙体を構成する表表紙、裏表紙及び背表紙が、樹脂により形成されているファイルに適用して極めて有用なものとなり得る。
【００２２】
【発明の実施の形態】
以下、本発明の幾つかの実施形態について、図面を参照して説明する。
【００２３】
先ず、ファイルの概要について説明し、しかる後、特徴部分を各実施形態ごとに説明することとする。
＜概要＞
先ず、ファイルＦの概要は、分解斜視図を図１、組立斜視図を図２にそれぞれ示すように、表表紙１と、表表紙１の一端に設けた細長い板状をなす押さえ板部２と、背表紙３と、裏表紙４と、裏表紙４の一端に設けた細長い板状をなす基板部５とにより構成される表紙体Ａに、綴じ足６と、前記基板部５の長手方向に延びる形状をなし前記綴じ足６を挿通させて係止するように構成した綴じ足係止部７とを付帯させたものである。
【００２４】
綴じ足６は、図１に示すように基端部６２から綴じ足本体６１を延ばして形成している。また、図１に示すように、基板部５には、綴じ足６を挿通させ、また係止するように取付孔５ａを１対設けていて、この取付孔５ａから綴じ足本体６１を表表紙１に向けて挿し通すようにしている。
【００２５】
綴じ足係止部７は、図１及び図２に示すように、前記押さえ板部２に設けられていて、前記綴じ足６を図示しない係止つまみを用いて固定する機能を有する。また、前記押さえ板部２には、前記綴じ足６を挿通させるための綴じ足挿通孔２ａを設けてあり、さらに前記綴じ足係止部７にはこの綴じ足挿通孔２ａに重合させて図示しない綴じ足挿通孔を設けている。なお、この綴じ足係止部７は、紙葉類を差し替え可能に挟みこむように構成したこの種のファイルに用いられる綴じ具の綴じ足係止部として周知のものと同様の構成を有する。
【００２６】
しかして、本実施形態において、前記表表紙１、前記押さえ板部２、前記背表紙３、前記裏表紙４、及び前記基板部５は全て樹脂により形成しているとともに、背表紙３に予め折り罫を設けることなくその有効幅を可変に構成している。
【００２７】
具体的には、表表紙１は、図３に示す外面材１１と図４に示す内面材１２とにより袋体状に形成していて、図２に示すように、外面材１１と内面材１２との間の空間を前記背表紙３を挿入可能に構成した背表紙挿入口１ａとしている。前記外面材１１は、その上縁部、下縁部、及び背表紙と反対側の縁部に図３中の斜線部で示す折り込み取付部１１ａを設けていて、外面材１１と内面材１２とを重合させた状態で、この折り込み取付部１１ａを折り線Ｌ１で内方に折り込んで図４の斜線部に示す内面材１２の外面材取り付け部１２ａに重ね合わせ、この内面材１２に溶着するように構成している。本実施形態では、この外面材１１は厚さ寸法０．４ｍｍの樹脂シートにより形成している。一方、前記内面材１２は、厚さ寸法０．８ｍｍの樹脂シートにより形成し、前記外面材よりも厚さ寸法を大きくしているとともに、背表紙３側の端縁を折り線Ｌ３で折り込んで前記押さえ板部２を形成している。このように構成した表表紙の斜視図を図５に示す。
【００２８】
また、前記背表紙３は、本実施形態では図６に示す厚さ寸法０．２ｍｍの１枚の透明樹脂シートを折り線Ｌ４で折り返して折り目を底辺３ｘとしているとともに、図８に示すように一端部に設けた取付部３ａを前記裏表紙４の背表紙取り付け部４ａに溶着し、他端部を折り線Ｌ５で折り返してストッパ３ｂを設けている。このストッパ３ｂは前記表表紙１の外面材１１の端縁を図３の折り線Ｌ２で折り返して設けた背表紙ストッパ１１ｂと係合して、この背表紙３が完全に抜け落ちることを防止している。そして、この背表紙３内には、底辺３ｘと反対側の端縁に形成した見出し挿入口３ｙから図８に示す背紙８を挿入可能に構成している。なお、本実施形態では、この背表紙３の表表紙１への出し入れをスムーズに行うようにすべく、表面にエンボス加工を施している。また、折り線Ｌ５から所定距離だけ前記取付部３ａ側に偏位した箇所を溶着して前記背紙８の位置決め機能を有する背紙位置決め部３ｃを設けている。
【００２９】
一方、裏表紙４は、図７に示す厚さ寸法１．０ｍｍの１枚の樹脂シートにより形成している。また、背表紙３側の端縁を折り線Ｌ６で折り込んで基板部５を形成している。そして、図８に示すように、この裏表紙４の基板部５との境界付近に背表紙取付部４ａを設け、この背表紙取付部４ａに前記背表紙３を溶着している。なお、この裏表紙４の厚さ寸法１．０ｍｍは、前記表表紙１の外面材１１の厚さ寸法０．４ｍｍ及び内面材１２の厚さ寸法０．８ｍｍのいずれよりも大きく、これら外面材１１及び内面材１２の厚さ寸法の合計１．２ｍｍよりは小さい。
【００３０】
このように構成したファイルＦは、背表紙３を表表紙１に対して出し入れし、紙葉類Ｐの量に応じて紙葉類を最も適切に挟みこめるように位置を合わせて折り曲げることにより、背表紙３の有効幅を変更するようにしている。
【００３１】
次に、各実施形態の特徴部分について、図９以下を参照して説明する。なお、その特徴部分は、表紙体Ａを閉じた状態で背表紙３が表表紙１から抜け出る方向へ相対移動することを抑止する抑止手段をその一部に設けるか、或いは、表紙体１を閉じた状態で背表紙３が当該表表紙１から抜け出る方向へ実際に相対移動した際にこれを修正するための修正手段をその一部に設けるか、何れかの態様を採用するものである。
【００３２】
なお、この実施形態では、袋体状をなす表表紙１の内寸と背表紙３の外寸とを、表紙体Ａを開いた状態で背表紙３を緩やかに挿脱し得る寸法関係に設定している。緩やかに挿脱し得る寸法関係とは、背表紙３が挿脱される方向と直交する上下方向（すなわち、ファイルＦを立て掛けた際の天地方向）に対して、表表紙１の内寸（例えば図９におけるｄ１）よりも背表紙３の外寸（例えば図９におけるｄ３）を遊嵌状態となるように小さく設定することが主として挙げられるが、袋体を構成する外面材１１と内面材１２との張り合わせ強度によっても、重合方向への中空部分の広がり易さを通じて緩やかに挿脱可能とする調整をすることができる。
＜第１実施形態＞
以上を踏まえ、この実施形態は、図９（ａ）に示すように、袋体状をなす表表紙１と背表紙３との間に、当該表表紙１内に背表紙３を引き込む方向の外力を及ぼすゴム、バネその他の弾性体１００を設け、この弾性体１００を抑止手段として機能させるようにしている。この弾性体１００は、例えば背表紙３の一部を折り返してストッパ３ｂが形成されている二重部分に孔３ｚを設けてその一端１００ａを掛け止め、表表紙１の一部に他端１００ｂをリベットなど適宜の手段により固定して取り付けたもので、背表紙３が表表紙１内に奥深く挿入される位置まで同挿入方向に対する引っ張り外力を背表紙３に及ぼすことができるように設定されている。
【００３３】
また、この実施形態は、図９（ｂ）に示すように、袋体状をなす表表紙１から背表紙３が完全に引き抜かれるよりも手前位置で、弾性体１００による外力に抗して表表紙１の開口縁１ｚに背表紙３を掛止させておくための掛止部２００を設けている。この掛止部２００は、表表紙１に対する背表紙３の挿入始端側に設けた突起状のもので、先端が表表紙１側を向くように突出しており、切り起こしや外付け等によってその構成を実現したものである。
【００３４】
紙葉類の加除を行う際は、平素は袋体状をなす表表紙１内に収容されているこの掛止部２００が表表紙１から表出する位置まで背表紙３を表表紙１から引き出し、その位置で必要に応じ手などで補助しながら掛止部２００の表表紙１に対する掛止状態を実現する。紙葉類の加除が終わった後は、再度若干量だけ背表紙３を表表紙１から引き出し、掛止部２００を折り畳んで、表表紙１内に入り込むように必要に応じ手などで補助してやればよい。
【００３５】
以上のようにすれば、表紙体Ａを開いた状態で、袋体状をなす表紙体１に対して背表紙３を挿脱する操作時の引きずり抵抗が小さくなるため、背表紙３が樹脂のような比較的柔らかい素材のものであっても、不都合なく背表紙３の有効幅を調整することができる。そして、一旦適切な有効幅に調整した後、表紙体１を閉じれば、抑止手段である弾性体１００によって背表紙３の抜脱動作が抑えられるため、背表紙３の張りが不慮に弛んで外観を損ねることを防止することができ、立てかけた際の自立性等も有効に確保しておくことが可能となる。
【００３６】
特に、抑止部に上記のような弾性体１００を採用すると、積極的に背表紙３を表表紙１内に引き込む力を常に作用させるため、背表紙３に対する抜脱防止がより的確に図られ、背表紙３に対する有効幅の調整も簡単、適切に行えるようになる。
【００３７】
また、このような弾性体１００を採用しても、紙葉類の加除作業中は掛止部２００を利用して背表紙３が不慮に縮まることを防止することができるので、加除作業に係る作業性も有効に確保しておくことができるものである。
＜第２実施形態＞
この実施形態は、図１０（ｃ）に示すように、袋体状をなす表表紙１と背表紙３との間に、背表紙３の複数の有効幅に対応して当該背表紙３を前記表表紙１に段階的に係合させる係合部３００を設け、この係合部３００を抑止手段として機能させるようにしたものである。
【００３８】
この係合部３００は、具体的には、袋体状をなす表表紙１に設けた突起３０１と、背表紙３の対応位置に背幅方向に沿って一定ピッチで設けた複数のスリット状をなす孔部３０２とからなるもので、同図（ｂ）に示すように、突起３０１は表表紙１の内面材１２の一部を切り起こして設けられ、孔部３０２は背表紙３を構成するシートを折り曲げて表材３ｘ、裏材３ｙとした際の裏材３ｙ側に設けられているものである。そして、表紙体Ａを開いた同図（ａ）の状態で周辺と略面一なる位置まで倒伏するなどして孔部３０２と係合し得ない位置まで退避し、表紙体１を閉じた同図（ｃ）の状態で周辺から起き上がるなどして孔部３０２と係合可能な位置に位置づけられるように構成してある。
【００３９】
このようにしても、背表紙３を一旦適切な有効幅に調整した後、表紙体１を閉じれば、突起３０１が孔部３０２に係合することによって抑止手段である係合部３００が構成され、これにより背表紙３の抜脱動作が抑えられるため、背表紙３の張りが不慮に弛んで外観を損ねることを防止することができ、立てかけた際の自立性等も有効に確保して、挿脱容易性との両立を図ることができる。
【００４０】
特に、抑止部に上記のような係合部３００を採用すると、係合状態が解除されない限り背表紙３の位置ずれが生じ得ないものになるため、当該背表紙３の弛み防止において確実を期すことができるようになる。
【００４１】
とりわけ、背表紙３が、表材３ｘと裏材３ｙとの間に見出し挿入用のポケットを形成した２重構造をなしているため、上記のように裏材３ｙに孔部３０２を設けても、背表紙３の外表面に孔部３０２が表れることがなく、外観が損なわれることを有効に防止しておくことができる。
【００４２】
なお、背表紙３が１枚ものであっても、ある程度の肉厚があれば、孔部３０２に代えて当該背表紙３の肉厚を貫通しない凹部をその裏側に形成することで同様の効果を得ることが可能である。また、突起３０１の切り起こし方向は、同図（ｄ）に示すように、表紙体Ａを閉じた状態で表表紙１と直交する方向へ起き上がるようなものであっても孔部３０２との係合状態を有効に実現することができる。
＜第３実施形態＞
この実施形態は、図１１に示すように、袋体状をなす表表紙１と背表紙３との間に、背表紙３の複数の有効幅に対応して当該背表紙３を前記表表紙１に段階的に係合させる係合部４００を設け、この係合部４００を抑止手段として機能させるようにしたものである。
【００４３】
この係合部は、具体的には、背表紙３の挿脱される方向に沿って袋体状をなす表表紙１の中空部内に設けた凹凸の連続するリブ４０１と、同方向に沿って背表紙３の対応位置に設けた凹凸の連続するリブ４０２とから構成し、リブ４０１、４０２同士を凹凸の連続方向に沿って段階的に位相を変えて係合させ得るようにしたものである。これらのリブ４０１、４０２は、樹脂同士を溶着する手法の押し型を利用するなどして構成されている。
【００４４】
このようにすると、背表紙３の挿脱容易性と不慮の抜出防止とを有効に両立させることができる上に、細かいピッチで背表紙３の幅調整が可能となり、抑止部の製作も容易に行えるようになる。
＜第４実施形態＞
この実施形態は、図１２（ａ）に示すように、背表紙３が、表材３ｘと、裏材３ｙ（同図には現れない）との間に見出し挿入用のポケットを形成した二重構造をなしていることに着目して、その見出しとなる背紙８に折り罫８ａを設け、この折り罫８ａを抑止部として機能させるようにしたものである。表紙体Ａを閉じる際に、この折り罫８ａに沿って背紙８を折り曲げると、この背紙８を紙等で作った場合に折曲状態が持続的に維持されるため、背表紙３が表表紙１から抜け出る動作がこの背紙８の保形力によって抑止されることとなる。このようにしても、背表紙３の挿脱容易性と不慮の抜出防止とを簡単な手法で有効に両立させることができる。
【００４５】
なお、背表紙３がこのような二重構造である場合に、同図（ｂ）に示すように、背表紙３を構成する裏材３ｙに折り罫３ｙ１を設け、この折り罫３ｙ１を抑止部として機能させることもできる。この折り罫３ｙ１は、表紙体Ａを閉じた際に折れ曲がって表表紙１の縁部である開口縁１ｚに引っ掛かるため、背表紙３が表表紙１から抜け出る動作がこの裏材３ｙの折り罫３ｙ１によって有効に抑止されることとなる。
＜第５実施形態＞
上記と基本構造を同じくしつつ、抑止手段に代えて、表紙体１を閉じた状態で背表紙３が袋体状をなす表表紙１から抜け出る方向へ相対移動した場合にこれを修正する修正手段をその一部に設けておく構成も有効である。
【００４６】
図１３に示す修正手段は、表表紙１の一部に設けた窓５００であり、挿入された背表紙３の一部をこの窓５００を介して表出させ、その背表紙３に両手の親指の腹を押し当てるなどして、当該表表紙１内に引き込む図示ｘ方向への外力を付与することができるようにしている。
【００４７】
このようにすれば、紙葉類の加除後、背表紙３の有効幅を調整して表紙体１を一旦閉じた後、再度表紙体１を開いて背表紙３の有効幅の再調整を行うことができるので、初期調整不良のみならず、調整後に背表紙３が緩んだ場合等にも、簡単に体勢を整えることが可能となる。
【００４８】
特に、本実施形態は、表紙体１全体を樹脂により構成しており、背表紙３のすべりが良くなって表表紙１から抜け易くなるため、上記各実施形態において述べたような抑止手段や修正手段を設けておくことは極めて有用なものとなり得る。
【００４９】
以上、本発明の幾つかの実施形態について説明したが、各部の具体的な構成は上述した実施形態のみに限定されるものではない。例えば、上記実施形態は表表紙１と背表紙３との間に寸法関係によって挿脱容易性を確保したが、寸法関係によらず、表紙体の所要箇所にすべり摩擦抵抗を小さくするエンボス加工を施す構成によっても挿脱容易性を確保することができる。また、本発明の基本的な作用効果は、不慮に手などが触れて背表紙が引き出されてしまう不都合にも有効なものであるため、本発明は背表紙が表表紙に対して挿脱容易である構成を必ずしも要件とするものではない。さらに、裏表紙側が袋体状をなしており、表表紙側に背表紙が付帯している態様のものなど、本発明の趣旨を逸脱しない範囲で種々変形が可能である。
【００５０】
【発明の効果】
本発明は、以上説明した構成であるから、抑止手段により背表紙の抜脱を抑止して一旦調整した背表紙の有効幅を的確に維持しておくことができる。したがって、紙葉類の加除に伴う背幅調整を円滑なものにして使い勝手に優れるようにしても、背表紙に弛み等を惹起しない端正な外観を保つことができ、書架等に立て掛けた際に形崩れもせずに整然と並べておくことができる有用なファイルを提供することができるものである。
【図面の簡単な説明】
【図１】本発明の実施形態に係るファイルの概要を示す分解斜視図。
【図２】同実施形態に係るファイルの組立斜視図。
【図３】同実施形態に係るファイルの表表紙を構成する外面材を示す平面図。
【図４】同実施形態に係るファイルの表表紙を構成する内面材を示す平面図。
【図５】同実施形態に係るファイルの表表紙を示す斜視図。
【図６】同実施形態に係るファイルの背表紙を示す平面図。
【図７】同実施形態に係るファイルの裏表紙を示す平面図。
【図８】同実施形態に係るファイルの裏表紙に背表紙を溶着した状態を示す斜視図。
【図９】本発明の第１実施形態を示す模式図。
【図１０】本発明の第２実施形態を示す模式図。
【図１１】本発明の第３実施形態を示す模式図。
【図１２】本発明の第４実施形態を示す模式図。
【図１３】本発明の第５実施形態を示す模式図。
【符号の説明】
Ａ…表紙体
１…表表紙
３…背表紙
４…裏表紙
１００…抑止手段（弾性体）
２００…抑止手段（係合部）
３００…抑止手段（係合部）
４００…抑止手段（係合部）
５００…修正手段（窓）
【図１】
2004066694.tif 000003
【図２】
2004066694.tif 000004
【図３】
2004066694.tif 000005
【図４】
2004066694.tif 000006
【図５】
2004066694.tif 000007
【図６】
2004066694.tif 000008
【図７】
2004066694.tif 000009
【図８】
2004066694.tif 000010
【図９】
2004066694.tif 000011
【図１０】
2004066694.tif 000012
【図１１】
2004066694.tif 000013
【図１２】
2004066694.tif 000014
【図１３】
2004066694.tif 000015
【手続補正書】
【提出日】平成15年8月29日(2003.8.29)
【手続補正１】
【補正対象書類名】明細書
【補正対象項目名】００３１
【補正方法】変更
【補正の内容】
【００３１】
次に、各実施形態の特徴部分について、図９以下を参照して説明する。なお、その特徴部分は、表紙体Ａを閉じた状態で背表紙３が表表紙１から抜け出る方向へ相対移動することを抑止する抑止手段をその一部に設けるか、或いは、表紙体Ａを閉じた状態で背表紙３が当該表表紙１から抜け出る方向へ実際に相対移動した際にこれを修正するための修正手段をその一部に設けるか、何れかの態様を採用するものである。


【手続補正２】
【補正対象書類名】明細書
【補正対象項目名】００３５
【補正方法】変更
【補正の内容】
【００３５】
以上のようにすれば、表紙体Ａを開いた状態で、袋体状をなす表表紙１に対して背表紙３を挿脱する操作時の引きずり抵抗が小さくなるため、背表紙３が樹脂のような比較的柔らかい素材のものであっても、不都合なく背表紙３の有効幅を調整することができる。そして、一旦適切な有効幅に調整した後、表紙体Ａを閉じれば、抑止手段である弾性体１００によって背表紙３の抜脱動作が抑えられるため、背表紙３の張りが不慮に弛んで外観を損ねることを防止することができ、立てかけた際の自立性等も有効に確保しておくことが可能となる。


【手続補正３】
【補正対象書類名】明細書
【補正対象項目名】００３８
【補正方法】変更
【補正の内容】
【００３８】
この係合部３００は、具体的には、袋体状をなす表表紙１に設けた突起３０１と、背表紙３の対応位置に背幅方向に沿って一定ピッチで設けた複数のスリット状をなす孔部３０２とからなるもので、同図（ｂ）に示すように、突起３０１は表表紙１の内面材１２の一部を切り起こして設けられ、孔部３０２は背表紙３を構成するシートを折り曲げて表材３ｘ、裏材３ｙとした際の裏材３ｙ側に設けられているものである。そして、表紙体Ａを開いた同図（ａ）の状態で周辺と略面一なる位置まで倒伏するなどして孔部３０２と係合し得ない位置まで退避し、表紙体Ａを閉じた同図（ｃ）の状態で周辺から起き上がるなどして孔部３０２と係合可能な位置に位置づけられるように構成してある。


【手続補正４】
【補正対象書類名】明細書
【補正対象項目名】００３９
【補正方法】変更
【補正の内容】
【００３９】
このようにしても、背表紙３を一旦適切な有効幅に調整した後、表紙体Ａを閉じれば、突起３０１が孔部３０２に係合することによって抑止手段である係合部３００が構成され、これにより背表紙３の抜脱動作が抑えられるため、背表紙３の張りが不慮に弛んで外観を損ねることを防止することができ、立てかけた際の自立性等も有効に確保して、挿脱容易性との両立を図ることができる。


【手続補正５】
【補正対象書類名】明細書
【補正対象項目名】００４３
【補正方法】変更
【補正の内容】
【００４３】
この係合部４００は、具体的には、背表紙３の挿脱される方向に沿って袋体状をなす表表紙１の中空部内に設けた凹凸の連続するリブ４０１と、同方向に沿って背表紙３の対応位置に設けた凹凸の連続するリブ４０２とから構成し、リブ４０１、４０２同士を凹凸の連続方向に沿って段階的に位相を変えて係合させ得るようにしたものである。これらのリブ４０１、４０２は、樹脂同士を溶着する手法の押し型を利用するなどして構成されている。


【手続補正６】
【補正対象書類名】明細書
【補正対象項目名】００４５
【補正方法】変更
【補正の内容】
【００４５】
なお、背表紙３がこのような二重構造である場合に、同図（ｂ）に示すように、背表紙３を構成する裏材３ｙに折り罫３ｙ１を設け、この折り罫３ｙ１を抑止部として機能させることもできる。この折り罫３ｙ１は、表紙体Ａを閉じた際に折れ曲がって表表紙１の縁部である開口縁１ｚに引っ掛かるため、背表紙３が表表紙１から抜け出る動作がこの裏材３ｙの折り罫３ｙ１によって有効に抑止されることとなる。
＜第５実施形態＞
上記と基本構造を同じくしつつ、抑止手段に代えて、表紙体Ａを閉じた状態で背表紙３が袋体状をなす表表紙１から抜け出る方向へ相対移動した場合にこれを修正する修正手段をその一部に設けておく構成も有効である。


【手続補正７】
【補正対象書類名】明細書
【補正対象項目名】００４７
【補正方法】変更
【補正の内容】
【００４７】
このようにすれば、紙葉類の加除後、背表紙３の有効幅を調整して表紙体Ａを一旦閉じた後、再度表紙体Ａを開いて背表紙３の有効幅の再調整を行うことができるので、初期調整不良のみならず、調整後に背表紙３が緩んだ場合等にも、簡単に体勢を整えることが可能となる。


【手続補正８】
【補正対象書類名】明細書
【補正対象項目名】００４８
【補正方法】変更
【補正の内容】
【００４８】
特に、本実施形態は、表紙体Ａ全体を樹脂により構成しており、背表紙３のすべりが良くなって表表紙１から抜け易くなるため、上記各実施形態において述べたような抑止手段や修正手段を設けておくことは極めて有用なものとなり得る。


【手続補正９】
【補正対象書類名】明細書
【補正対象項目名】符号の説明
【補正方法】変更
【補正の内容】
【符号の説明】
Ａ…表紙体
１…表表紙
３…背表紙
４…裏表紙
１００…抑止手段（弾性体）
２００…抑止手段（掛止部）
３００…抑止手段（係合部）
４００…抑止手段（係合部）
５００…修正手段（窓）


【手続補正１０】
【補正対象書類名】図面
【補正対象項目名】図９
【補正方法】変更
【補正の内容】
【図９】
2004066694.tif 000016
【手続補正１１】
【補正対象書類名】図面
【補正対象項目名】図１０
【補正方法】変更
【補正の内容】
【図１０】
2004066694.tif 000017
【手続補正１２】
【補正対象書類名】図面
【補正対象項目名】図１３
【補正方法】変更
【補正の内容】
【図１３】
2004066694.tif 000018